(57)【特許請求の範囲】
【請求項１】
無線基地局の内部状態を保守用情報として収集し、無線信号に変換して保守用無線回線へ送信すると共に、保守用無線回線から受信し復調して得た制御信号に基づいて無線基地局の内部回路の制御を行う保守部を備えた移動無線システムの無線基地局を保守するための保守方法であって、前記無線基地局に設けられた前記保守部と保守用無線回線で交信する機能を備えた保守用端末を設け、該保守用端末は、前記保守部から送信された保守用情報を受信し、該保守用情報を当該無線基地局の内部回路の保守作業単位毎に分離して表示するようにしたことを特徴とする無線基地局の保守方法。
【発明の詳細な説明】
【０００１】
【発明の属する技術分野】
本発明は、移動無線システムの無線基地局の保守方法に関するものである。
【０００２】
【従来の技術】
図２に従来技術による無線基地局２０の機能構成図を示す。受信アンテナ２２からの無線電波は、送受信共用器（ＤＵＰ）２３を経由し低雑音増幅部（ＬＮＡ）２５で増幅され、変復調部２６でベースバンド信号に変換され、ベースバンド処理部（ＢＢ）２７で誤り訂正やデフレーム化を行い、データ復調し、インタフェース部３５を介して有線伝送路Ｉ／Ｆ部３０から有線伝送路に送出される。一方、有線伝送路からの信号は、有線伝送路Ｉ／Ｆ部３０、インタフェース部３５を経由し、ベースバンド処理部２７で誤り訂正やフレーム化、データ変調し、変復調部２６で直交変調された送信無線周波数に変換され、アンプ部２４で規定レベルまで電力増幅され、送信アンテナ２１から無線電波として送信される。監視制御部２８は、無線基地局２０の状態を監視し、呼処理制御部２９は、無線回線の管理、設定、解放を行う。システムデータメモリ（ＳＤＭ）部３１は無線基地局２０に必要なプログラムやデータファイルを記憶するメモリで、ファイルロード（ＦＬＤ）部３２は、無線基地局２０に必要なプログラムやデータファイルが記憶されているメモリ媒体部３３のローカルでのファイル操作を行う。メモリ媒体部３３は例えばＰＣカードなどをメモリ媒体として使用する。スイッチ（ＳＷ）部３４は、メモリ媒体部からロードするデータの内容を決定するスイッチである。インタフェース部３５は無線基地局２０内の各部を接続するインタフェースで、例えばＰＣＩ／ＶＭＥバスやＡＴＭ、ＬＡＮなどで構成される。
【０００３】
無線基地局２０は、図２に示した機能構成の各部単位で基板が構成されて、この基板がきょう体に挿入されて装置がつくられている。無線基地局２０のきょう体に基板が挿入されている外観例を図３に示す。図３で、各基板は送受信共用器２３、アンプ部２４、低雑音増幅部２５、変復調部２６、ベースバンド処理部２７、監視制御部２８、呼処理制御部２９、有線伝送路Ｉ／Ｆ部３０、システムデータメモリ部３１、ファイルロード部３２とならび、ファイルロード部３２の基板の中に、スイッチ部３４とメモリ媒体部３３がある。各基板のフロントパネルには、発光ダイオード（ＬＥＤ）の状態表示ランプと保守やデバック用のメンテナンスコネクタ、リセットスイッチ（ＲＳＴ＿ＳＷ）がある。状態表示ランプの例として図には、正常動作時に点灯するＡＣＴ＿ＬＥＤ、基板障害発生時に点灯するＡＬＭ＿ＬＥＤ、他基板との通信障害時に点灯するＥＲＲ＿ＬＥＤ、基板閉塞時に点灯するＢＬＫ＿ＬＥＤがある。このような基板構成となっているのは、図２の機能構成の各部が保守作業単位で、この保守作業単位に状態表示、リセットを行うのが好ましい。
【０００４】
以上のようなハード構成の無線基地局２０の保守を行うには、無線基地局２０のきょう体のところに保守者が来て、各基板の状態表示ランプを見て、基板の状態を知り、必要によりメンテナンスコネクタより各基板とのデータの送受を行って保守作業を実施していた。また無線基地局２０のプログラムやシステムデータを入れ代えるにも、メモリ媒体部３３にメモリ媒体を挿入し、スイッチ部３４を操作し、必要なデータのロードを行っていた。
【０００５】
【発明が解決しようとする課題】
近年、移動通信の急速な普及により、設置される無線基地局数は膨大となり、その設置場所を確保しやすくするために、無線基地局装置の小型化が必須となっている。また数十チャネル程度の極超小容量の無線基地局は電柱等に設置される可能性もあり、装置の操作性や保守性の向上が重要な要素となってきている。保守を行うには、保守作業単位である図２の各機能部ごとの状態を知る必要がある。そのため、上述したように、機能部ごとに基板を構成し、状態表示ランプ、メンテナンスコネクタ、リセットスイッチを設けざるを得なかった。機能は少ないにもかかわらず、一枚の基板で構成するため、基板スペースに無駄が生じる場合も多く、無線基地局の小型化には適していなかった。また、基板の前にいかなければ保守ができないため、電柱等への設置は保守上問題があり、遠隔でも保守できる方法が必要とされていた。
【０００６】
このような問題に対応したものとして、特開平１０−８４４１３号の「遠隔監視装置」には、無線基地局の遠隔監視および現状復帰を行える監視装置の構成が開示されている。この従来技術は、無線基地局への遠隔制御の回線を無線基地局が送受信する通話用チャネルのなかに遠隔監視用のチャネルを作成するものである。このため、保守作業を電柱などに上らなくても行える利点があるが、通話用チャネルが保守用に使われる。また、無線基地局の通信機能に障害が発生したとき保守が行えなくなることがあり、保守作業本来の機能が失われてしまう。
【０００７】
本発明の目的は、無線基地局の小型化を図ると共に、無線基地局のきょう体の前に保守者が行かなくても保守が可能な無線基地局の保守方法を実現することにある。
【０００８】
【課題を解決するための手段】
本発明は、無線基地局の内部状態を保守用情報として収集し、無線信号に変換して保守用無線回線へ送信すると共に、保守用無線回線から受信し復調して得た制御信号に基づいて無線基地局の内部回路の制御を行う保守部を備えた移動無線システムの無線基地局を保守するための保守方法であって、前記無線基地局に設けられた前記保守部と保守用無線回線で交信する機能を備えた保守用端末を設け、該保守用端末は、前記保守部から送信された保守用情報を受信し、該保守用情報を当該無線基地局の内部回路の保守作業単位毎に分離して表示するようにしたことを特徴とする無線基地局の保守方法を開示する。
【００１２】
【発明の実施の形態】
以下、本発明の実施の形態を説明する。図１は、本発明の無線基地局の構成例を示すブロック図で、送受信共用器４は、送信アンテナ２と受信アンテナ３、および無線部５と接続されている。無線部５は、図２のアンプ部２４、低雑音増幅部２５、変復調部２６を一つにまとめたブロックで、ベースバンド処理部６からの信号を直交変調し、送受信共用器４を経由し送信アンテナ２から送出し、受信アンテナ３から受信した無線周波数信号を送受信共用器４を経由し、受信復調する。ベースバンド処理部６は、送信データの誤り訂正符号化、フレーム化、データ変調、および、受信データの誤り訂正復号化、デフレーム化、データ復調を行う。インタフェース部１２は、各ブロック間のインタフェースであり、ＰＣＩ／ＶＭＥバスや、ＡＴＭ、ＬＡＮ等で構成されている。有線伝送路Ｉ／Ｆ部７は、図２の有線伝送路Ｉ／Ｆ部３０と同じ機能を持つもので、有線伝送路とのインタフェース機能をもつ。制御部８は図２の監視制御部２８、呼処理制御部２９、システムデータメモリ部３１、ファイルロード部３２が統合されたブロックで、無線基地局装置の状態監視、無線回線の設定、解放、管理、無線基地局装置１のプログラムとデータファイルを記憶するシステムデータメモリおよびメモリ媒体のファイルロードなどの制御を行う。メモリ媒体部９、スイッチ部１０は、図２のメモリ媒体部３３、スイッチ部３４と同じ機能をもつもので、メモリ媒体部９は、無線基地局装置１のプログラムやデータファイルをローカルにロードし、メモリ媒体としてはＰＣメモリ等が用いられる。スイッチ部１０は、メモリ媒体部９からのプログラムやデータファイルのローディングをローカルに制御するスイッチである。
【００１３】
保守部１１は、無線基地局装置１の各部の状態を示す保守情報や保守端末１６からの保守制御情報の送受信を行うブロックで、保守用送受信部１１１、保守制御部１１２、保守用メモリ１１３から成っている。また保守用アンテナ１４と接続されている。保守端末１６は、保守端末用アンテナ１５と無線送受信部（図示省略）をもち、保守用アンテナ１４、保守用送受信部１１１との間で保守用無線回線形成できるようになっている。この保守用無線回線の方式は、例えばＢｌｕｅｔｏｏｔｈなどを用いて実現することが可能である。保守部１１の保守制御部１１２は無線基地局装置１の各部と制御線１３で接続され、無線基地局各部の状態の受信、各部へのリセット、閉塞などの制御データの送出を行う。また、インタフェース部１２は、ベースバンド処理部６、有線伝送路Ｉ／Ｆ部７、制御部８、保守部１１を接続していて、各部間のデータの送受を行っている。保守端末１６では無線基地局装置１の各機能部の状態表示、各基板のリセット、閉塞、ソウトウェアのダウンロードなどを行う。
【００１４】
送受信共用器４、無線部５、ベースバンド処理部６、有線伝送路Ｉ／Ｆ部７、制御部８の各部は、無線基地局１のハードウエアの基板に対応している。図２、図３に示した従来のアンプ部２４、低雑音増幅部２５、変復調部２６の三つの基板が無線部５の一つの基板になり小型化に寄与している。また、制御部８は、従来の監視制御部２８、呼処理制御部２９、システムデータメモリ部３１、ファイルロード部３２の４枚の基板が一つの基板となっている。さらに、各基板には、従来の基板にあったようなＬＥＤやコネクタ、リセットスイッチを無くすることで、各基板の大きさも、従来の基板より小さく構成でき、無線基地局の小型化が達成出来ている。また、図１では、メモリ媒体部９、スイッチ部１０を無線基地局装置１に設けたが、これらを無線基地局装置１から削除し、メモリ媒体部９に挿入するメモリ媒体がもつプログラムやシステムデータを保守端末１６で使用するメモリ媒体１７（保守端末１６をパソコンで構成すれば、メモリ媒体１７としてＣＤやＦＤが使用できる）に記憶させ、保守端末１６に挿入し、保守用無線回線経由で保守部１１の保守用メモリ１１３へロードすれば、より一層の小型化が図れる。
【００１５】
無線基地局装置１の各部で検出された各部の状態データである保守情報は、制御線１３を経由して保守用制御部１１２で集められ、保守用メモリ１１３へ格納される。そしてこれらはまとめて保守用無線回線を介して送信され、保守端末１６で受信される。この保守情報は、例えば音声品質やデータ通信品質などサービス品質を示すビット誤り率、無線チャネルの希望波レベル、妨害波レベル、希望波対干渉信号電力比、コードドメインパワーなどである。また異常を示す保守情報として、電源異常、温度異常、シンセサイザー異常、過剰出力、ＡＧＣ異常、不揮発メモリのサム値異常などがあり、これらの情報を受信した保守端末１６では、ビット誤り率等の表示や警報表示を行い、または必要により鳴音を発生させる。
【００１６】
保守端末１６からは、保守制御情報を保守用無線回線経由で送信し、保守部１１ではこれを保守用メモリ１１３へ格納したのち、この保守制御情報を用いて保守制御部１１２が無線基地局装置１の各部を制御する。保守制御情報としては、無線部５の低雑音増幅部の利得制御などシステムパラメータの書換え、内部状態パラメータのモニタなどがある。また保守端末１６で受信した保守情報で各部の異常を受信し、警報状態となったときは、異常となった各部をリセットし、復旧を試みる。このリセットは、保守端末１６の表示を見て、保守者がマウスのクリックやキー操作で行うことも出来るが、保守端末１６の制御ソフトウエアで保守制御情報を自動的に送出する制御を行うこともできる。すなわち、異常状態を示す保守情報を受信すると、異常状態の基板、または保守作業単位である基板内の機能ブロックを認識し、その保守作業単位の機能ブロックに対し、リセット信号を保守制御情報として送出する。同時に保守端末１６の制御ソフトウエア自身はウオッチドタイマなどで、自分自身をリセットする。
【００１７】
以上の説明では、無線基地局各部からの保守情報の収集及び保守制御情報の各部への送出は、制御線１３を経由して行うものとしている。しかしながら保守部１１はインタフェース部１２を介しベースバンド処理部６、有線伝送路Ｉ／Ｆ部７、制御部８と接続されているので、これらの各部とは制御線１３を用いずに、インタフェース部１２を介して保守情報の収拾、保守制御情報の送出を行うことも可能である。
【００１８】
図４に保守端末１６の表示部への表示例を示す。保守部１１から送られてきた保守情報は保守端末用アンテナ１５で受信され、保守端末１６に蓄積される。この情報は保守端末１６での制御ソフトウエアにより表示部に表示されるが、その表示方法は制御ソフトで自由に変更できる。図４の例は、受信した保守情報を、無線基地局装置１の基板構成とは異なり、保守作業単位に表示したものである。従来の保守作業との親近性を保つために、図３に示す従来の無線基地局２０の基板構成をイメージして作成された例である。すなわち、左からアンプ部、低雑音増幅部、変復調部、ベースバンド処理部、有線伝送路Ｉ／Ｆ部、監視制御部、呼処理制御部、システムデータメモリ部、ファイルロード部と従来あった基板のイメージで表示されている。また各基板のイメージには、発光ダイオード（ＬＥＤ）の状態表示ランプと保守やデバック用のメンテナンスコネクタ、リセットスイッチ（ＲＳＴ＿ＳＷ）がある。状態表示ランプの例として図には、正常動作時に点灯するＡＣＴ＿ＬＥＤ、障害発生時に点灯するＡＬＭ＿ＬＥＤ、他基板との通信障害時に点灯するＥＲＲ＿ＬＥＤ、基板閉塞時に点灯するＢＬＫ＿ＬＥＤがある。またリセットスイッチであるＲＳＴ＿ＳＷが表示されている。表示は、各保守作業単位が正常に動作していれば、ＡＣＴ＿ＬＥＤが点灯している。もし、ベースバンド処理部６が異常であれば、ベースバンド処理部を表示してある基板イメージのＡＬＭ＿ＬＥＤが点灯する。必要により鳴音を発生させてもよい。図１の無線部５が異常の場合には、無線部５の基板を表示するのでなく、保守作業単位である無線部５を構成しているアンプ部、低雑音増幅部、変復調部のどこが異常であるかを表示する。そのためには、図１の無線部５からの状態表示を示す保守情報自身が、無線部５を構成している保守作業単位ごとに検出され、保守部１１を経由して保守端末１６に送出されている必要がある。
【００１９】
保守者は、図４の表示イメージを見ることで、どこが障害であるかを直ちに認識することが容易であり、対応を即座に取ることが可能となる。例えば、図４でアンプ部のＡＬＭ＿ＬＥＤが点灯していれば、保守者は、まずアンプ部のリセットスイッチＲＳＴ＿ＳＷを画面上でマウスクリックすると、保守端末１６の制御ソフトは、保守制御情報であるリセット信号を保守端末用アンテナ１５から送出する。このリセット信号は、保守部１１から制御線１３を経由し無線部５に送られ、無線部５のアンプ部の回路のリセット端子を駆動し、アンプ部をリセットする。もしその障害が一時的のものであれば、リセットするだけで快復し、アンプ部から送られていた障害状態表示の保守情報はＡＬＭ＿ＬＥＤの点灯から、正常動作を示すＡＣＴ＿ＬＥＤの点灯に変わり、障害が復旧したことが表示される。また、メンテナンスコネクタをクリックし、アンプ部へのデータのロードを行う画面を選択すると、アンプ部で必要なソフト、例えば利得の設定、無線出力の設定などの更新や、その保守作業単位で閉塞することなども行うことができる。閉塞の場合には、保守端末１６から閉塞信号が保守制御情報として保守部１１に送出される。保守作業単位で閉塞が行われると、その機能の状態を示す閉塞状態の信号が保守部１１経由で保守端末１６に送出され、対応する基板イメージのＢＬＫ＿ＬＥＤが点灯する。このように従来、図３の無線基地局のきょう体の前で行っていた保守作業が、無線基地局１とは離れた遠隔の保守端末１６で、表示画面を見ながら行うことができるので、図５に示すように電柱の上に無線基地局装置１が設置されていても、電柱にのぼることなく保守作業を行うことが可能となる。
【００２０】
保守作業は、単に障害時のみに行われるのではなく、定期的に通信品質、受信レベル等のデータを取得し、無線基地局装置１の状態をチェックすることも行われる。従来、このチェックは、保守端末を各基板のメンテナンスコネクタに接続して行っていた。本発明では、各部の状態はデータとして保守端末１６に送られるので、このデータを加工して保守端末１６の表示部で様々な表現による表示が可能となる。例えばよく使う操作は予め手順を登録しておけば、毎回同じ操作を繰り返す必要がないので操作性が向上する。例えば、ビット誤り率を測定するには、あらかじめ決められたパターンを受信し、受信パターンと比較し、誤ったビットを検出する作業が必要であるが、これらの手順をビット誤り率測定の項目として保守端末１６に登録しておけば、保守者はこの項目を選択するだけで、手順を考えることなくビット誤りの測定が可能となる。また、通信品質という保守項目を設け、この作業を選択すると、保守端末１６の制御ソフトは、ビット誤り率、希望波対干渉信号電力比など通信品質に関係するデータの測定を順次行い、保守端末１６の表示部に表示させることも出来る。このように、制御ソフトに測定表示する項目を登録し、その手順を記憶させておけば、保守者は、一つ一つのデータ取得操作を行わないで、必要なデータが取得出来る。
【００２１】
また、この制御ソフトウエアのＯＳに、Ｗｉｎｄｏｗｓのような世界標準のＯＳを採用しておけば、制御ソフトウエアは、表示言語を含め、その国に合わせたものを作成しやすくなり、ハードウエアの変更無しにワールドワイドの無線基地局を提供できる。
【００２２】
【発明の効果】
本発明により、以下の効果がある。
（１）無線基地局装置の基板を保守作業単位で作成する必要がないので、基板の無駄がなくなり、装置の小型化が実現できる。
（２）保守作業を、無線基地局装置のきょう体の前で行わずに可能なので、無線基地局装置を電柱等の上に設置しても保守作業が容易である。
（３）保守作業の手順を保守端末の制御ソフトウエアに登録しておくことで、一連の作業を一括して行うことが可能で、保守者の操作性が向上する。
（４）保守端末では、保守情報の表示を無線基地局装置の基板構成とはことなるイメージで表示させることが出来るので、保守作業に適した表示とすることで作業性の向上が図れる。
（５）保守端末での表示を従来の基板構成に類似した表示をすれば、従来の保守方法との親近性が可能である。
（６）無線基地局装置のメモリ媒体部やスイッチ部を取り外し、保守端末のメモリ媒体を使用すれば、一層の無線基地局装置の小型化が可能である。
【図面の簡単な説明】
【図１】本発明の無線基地局のブロック図である。
【図２】従来の無線基地局の機能構成図である。
【図３】従来の無線基地局の外観図である。
【図４】保守端末での表示例である。
【図５】無線基地局の設置例である。
【符号の説明】
１  無線基地局
２、２１  送信アンテナ
３、２２  受信アンテナ
４、２３  送受信共用器
５  無線部
６、２７  ベースバンド処理部
７、３０  有線伝送路Ｉ／Ｆ部
８  制御部
９、３３  メモリ媒体部
１０、３４  スイッチ部
１１  保守部
１２、３５  インタフェース部
１３  制御線
１４  保守部用アンテナ
１５  保守端末用アンテナ
１６  保守端末
１７  メモリ媒体
１１１  保守用送受信部
１１２  保守制御部
１１３  保守用メモリ
【図１】
0004299975.tif 000002
【図２】
0004299975.tif 000003
【図３】
0004299975.tif 000004
【図４】
0004299975.tif 000005
【図５】
0004299975.tif 000006